(57)【要約】【課題】より好適にクリップガイドを脱着することを可能とする脱着治具を提供することである。【解決手段】エスカレータの移動手摺を案内するために設けられる移動手摺案内レール２２の端部２２ａ，２２ｂを挟み込むように取り付けられるクリップガイド２３を脱着するための脱着治具１００であって、把持部１１０と、第１把持部１１２と第２把持部との間の距離を広げる方向に外力が与えられることで、２つの先端部の間の距離を広げる挟み部１２０と、２つの先端部のうち少なくとも１つの先端部側に設けられ、２つの先端部の間の距離が広げられたときにクリップガイド２３を広げる広げ部１３０と、を備える。【選択図】図３
2012166938.tif 000002
【特許請求の範囲】
【請求項１】
エスカレータの移動手摺を案内するために設けられる移動手摺案内レールの端部を挟み込むように取り付けられるクリップガイドを脱着するための脱着治具であって、
第１把持部と第２把持部とを有する把持部と、
前記第１把持部と前記第２把持部との間の距離を広げる方向に外力が与えられることで、２つの先端部の間の距離を広げる挟み部と、
前記２つの先端部のうち少なくとも１つの先端部側に設けられ、前記２つの先端部の間の距離が広げられたときに前記クリップガイドを広げる広げ部と、
を備えることを特徴とする脱着治具。
【請求項２】
請求項１に記載の脱着治具において、
前記広げ部は、
前記クリップガイドが前記移動手摺案内レールに設けられるときに、前記クリップガイドの端部に当接可能な形状を有することを特徴とする脱着治具。
【請求項３】
請求項１または請求項２に記載の脱着治具において、
前記クリップガイドの外形に沿った形状を有し、前記クリップガイドの長手方向に沿って前記広げ部を移動させる際に、前記移動を案内する案内部をさらに備えることを特徴とする脱着治具。
【請求項４】
請求項３に記載の脱着治具において、
前記案内部は、
前記移動を案内する際に回転するローラを含むことを特徴とする脱着治具。
【発明の詳細な説明】
【技術分野】
【０００１】
本発明は、脱着治具に係り、特に、エスカレータの移動手摺を案内するために設けられる移動手摺案内レールの端部を挟み込むように取り付けられるクリップガイドを脱着するための脱着治具に関する。
【背景技術】
【０００２】
現在、商業施設等の様々な場所において、エスカレータが設置されている。一般的には、エスカレータを利用する際に、乗客は移動手摺に手を添えた状態でステップに乗る。また、ステップの移動に同期して移動手摺が移動しているが、当該移動手摺の移動を案内するために移動手摺案内レールが設けられている。さらに、合成樹脂等で構成されるクリップガイドが移動手摺案内レールの端部を挟み込むように取り付けられており、当該クリップガイドと移動手摺の内側面とが接触している。
【０００３】
本発明に関連する技術として、例えば、特許文献１には、幅方向断面において、内面が手摺レールに当接する平坦形状部と、平坦形状部の両側から内面側に湾曲した２つの湾曲形状部と、湾曲して対向する２つの端部と、を含む乗客コンベアの移動手摺を、補修する際に用いられる移動手摺補修用器具が開示されている。そして、平坦形状部の外面及び少なくとも一方の湾曲形状部の外面に当接して、移動手摺を支持する支持部と、支持部に移動可能に設けられ、少なくとも端部に当接して湾曲形状部が展開する方向に移動する作動部と、湾曲形状部が展開する方向に作動部を移動させる移動機構部と、を備える構成が開示されている。
【先行技術文献】
【特許文献】
【０００４】
【特許文献１】特開２０１０−２６５０７５号公報
【発明の概要】
【発明が解決しようとする課題】
【０００５】
ところで、エスカレータを長期間使用していると、移動手摺の摺動によりクリップガイドが摩耗する。このため、必要に応じてクリップガイドを交換等する必要があるが、手作業で交換等する場合には、クリップガイドを広げる際に大きな力が必要となり、交換作業等にかなりの労力を要する。
【０００６】
本発明の目的は、より好適にクリップガイドを脱着することを可能とする脱着治具を提供することである。
【課題を解決するための手段】
【０００７】
本発明に係る脱着治具は、エスカレータの移動手摺を案内するために設けられる移動手摺案内レールの端部を挟み込むように取り付けられるクリップガイドを脱着するための脱着治具であって、第１把持部と第２把持部とを有する把持部と、前記第１把持部と前記第２把持部との間の距離を広げる方向に外力が与えられることで、２つの先端部の間の距離を広げる挟み部と、前記２つの先端部のうち少なくとも１つの先端部側に設けられ、前記２つの先端部の間の距離が広げられたときに前記クリップガイドを広げる広げ部と、を備えることを特徴とする。
【０００８】
また、本発明に係る脱着治具において、前記広げ部は、前記クリップガイドが前記移動手摺案内レールに設けられるときに、前記クリップガイドの端部に当接可能な形状を有することが好ましい。
【０００９】
また、本発明に係る脱着治具において、前記クリップガイドの外形に沿った形状を有し、前記クリップガイドの長手方向に沿って前記広げ部を移動させる際に、前記移動を案内する案内部をさらに備えることが好ましい。
【００１０】
また、本発明に係る脱着治具において、前記案内部は、前記移動を案内する際に回転するローラを含むことが好ましい。
【発明の効果】
【００１１】
上記構成によれば、より簡単にクリップガイドを脱着することができる。
【図面の簡単な説明】
【００１２】
【図１】本発明に係る実施の形態において、エスカレータの構成図である。
【図２】図１において移動手摺の進行方向（矢印Ｃ方向）に垂直な断面図、すなわちＡ−Ａ線断面図に相当する移動手摺と移動手摺案内レールとクリップガイドとの関係を示している。
【図３】本発明に係る実施の形態において、クリップガイドを移動手摺案内レールに対して脱着するための脱着治具である。
【図４】本発明に係る実施の形態において、古いクリップガイドを移動手摺案内レールから取り外す様子を示す図である。
【図５】本発明に係る実施の形態において、新たなクリップガイドを移動手摺案内レールに取り付ける様子を示す図である。
【図６】本発明に係る実施の形態において、クリップガイドを移動手摺案内レールに対して脱着するための脱着治具である。
【図７】本発明に係る実施の形態において、古いクリップガイドを移動手摺案内レールから取り外す様子を示す図である。
【図８】本発明に係る実施の形態において、新たなクリップガイドを移動手摺案内レールに取り付ける様子を示す図である。
【発明を実施するための形態】
【００１３】
以下に図面を用いて、本発明に係る実施の形態を詳細に説明する。また、以下では、全ての図面において、同様の要素には同一の符号を付し、重複する説明を省略する。また、本文中の説明においては、必要に応じそれ以前に述べた符号を用いるものとする。
【００１４】
図１は、エスカレータ１０の構成図である。エスカレータ１０は、高低差のある乗場床６と降場床８との間で乗客４を移動させる装置である。エスカレータ１０は、乗客４が乗るステップ２４と、それぞれのステップ２４が連結されるステップチェーン２６と、ステップチェーン２６を駆動する主駆動装置２８と、移動手摺２０と、移動手摺案内レール２２と、クリップガイド２３と、移動手摺２０を駆動する手摺駆動装置３０と、制御盤７０を含んで構成される。
【００１５】
ステップ２４は、乗客４が一人または二人乗れる程度の大きさを有する。エスカレータ１０が運行している場合には、複数のステップ２４は、床面に対して水平な状態を保ちつつ移動する。また、ステップ２４には、スリップ防止のための溝が複数設けられている。
【００１６】
ステップチェーン２６は、図示されていない適当な軸部材を介して、それぞれのステップ２４を連結し、主駆動装置２８からの駆動力をそれぞれのステップ２４に伝達するものである。また、ステップチェーン２６は、エスカレータ１０のステップ２４の長手方向に沿った左右両側に１本ずつ配置されている。
【００１７】
手摺駆動装置３０は、駆動ローラ３２と加圧ローラ３４とを含んで構成される。手摺駆動装置３０において、移動手摺２０を挟んで複数の駆動ローラ３２に対向する位置に複数の加圧ローラ３４が配置される。各加圧ローラ３４は、各駆動ローラ３２と対を成すように並んでいる。駆動ローラ３２は、主駆動装置２８より出力された駆動力により駆動され、また、加圧ローラ３４は、対応する駆動ローラ３２に向かって、移動手摺２０を図示していない加圧手段によって押し付け、駆動ローラ３２の駆動に従って回転する。これにより、移動手摺２０は、移動手摺２０の帰路側（トラス内部）において、駆動ローラ３２が矢印Ｂ方向に回転することにより、加圧ローラ３４との間に挟みこまれた移動手摺２０が矢印Ｃ方向に移動する。
【００１８】
主駆動装置２８は、制御盤７０の制御によりエスカレータ１０を駆動する駆動力を出力する装置で、例えば、電動機と減速歯車等から構成される。主駆動装置２８により出力された駆動力は、図示されていない駆動伝達手段を介してステップチェーン２６及び図示されていない移動手摺チェーンを介して駆動ローラ３２に伝達される。
【００１９】
制御盤７０は、主駆動装置２８の制御を含んだエスカレータ１０全体の運行制御を行う制御装置であり、主駆動装置２８に隣接するように降場床８の下方（トラス内）に配置されている。
【００２０】
無端状の移動手摺２０は、乗客４が手を添え、または掴まる部分であり、移動手摺案内レール２２の外側に取り付けられている。移動手摺案内レール２２は、移動手摺２０の移動を案内するためのレールであり、移動手摺２０に沿ってほぼ無端状の形状を有するが、駆動ローラ３２の両端近傍において途切れた端部を有している。
【００２１】
クリップガイド２３は、第１クリップガイド２３２（図２参照）と第２クリップガイド２３４（図２参照）とを備える。第１クリップガイド２３２及び第２クリップガイド２３４は、移動手摺案内レール２２の２つの端部にそれぞれ挟み込まれるように取り付けられる部材である。また、第１クリップガイド２３２及び第２クリップガイド２３４は、それぞれ移動手摺案内レール２２に沿って、移動手摺案内レール２２と同様にほぼ無端形状を有している。なお、第１クリップガイド２３２及び第２クリップガイド２３４は、合成樹脂等を用いて構成することができる。
【００２２】
ここで、移動手摺２０と移動手摺案内レール２２とクリップガイド２３との関係を詳細に説明する。図２は、図１において移動手摺２０の進行方向（矢印Ｃ方向）に垂直な断面図、すなわちＡ−Ａ線断面図に相当する移動手摺２０と移動手摺案内レール２２とクリップガイド２３との関係を示している。
【００２３】
移動手摺２０は、最も外側に位置する表層部２０４と、真ん中に位置する芯地部２０２と、最も内側に位置するキャンバス部２０６とが積層される。表層部２０４の材料としては、手触りが良いもの、例えば生ゴム等を用いることができる。キャンバス部２０６は、適当な強度を確保するため、例えばキャンバス生地を用いることができる。芯地部２０２は、熱可塑性エラストマを用いて構成することができ、例えば、ポリウレタン系、ポリスチレン系、ポリオレフィン系の樹脂が使用される。
【００２４】
移動手摺案内レール２２は、略Ｃ字状断面の移動手摺２０の内側に配置され、略Ｕ字状断面を有している。第１クリップガイド２３２は、移動手摺案内レール２２の端部２２ｂを挟み込むように取り付けられている。第２クリップガイド２３４は、移動手摺案内レール２２の端部２２ａを挟み込むように取り付けられている。そして、移動手摺案内レール２２に取り付けられた第１クリップガイド２３２と第２クリップガイド２３４を含むクリップガイド２３の表面に移動手摺２０が摺動することで、移動手摺２０が進路を外すことがないように案内される。
【００２５】
図３は、クリップガイド２３を移動手摺案内レール２２に対して脱着するための脱着治具１００である。脱着治具１００は、把持部１１０と、挟み部１２０と、広げ部１３０とを備える。
【００２６】
把持部１１０は、第１把持部１１２と、第２把持部１１４とを備える。挟み部１２０は、第１挟み部１２２と、第２挟み部１２４と、第１挟み部１２２と第２挟み部１２４とを連結する連結部１２６とを備える。
【００２７】
第１把持部１１２は、第１挟み部１２２の一方端側（基端部側）に設けられている。そして、第１挟み部１２２は、第１把持部１１２の端部から連結部１２６に向かって曲がって伸び、連結部１２６より先は反対方向に曲がって延びている。
【００２８】
第２把持部１１４は、第２挟み部１２４の一方端側（基端部側）に設けられている。そして、第２挟み部１２４は、第２把持部１１４の端部から連結部１２６に向かって曲がって伸び、連結部１２６より先は反対方向に曲がって延びている。
【００２９】
連結部１２６は、第１挟み部１２２と第２挟み部１２４とを連結する要（ネジ）である。これにより、例えば、保守作業員が第１把持部１１２と第２把持部１１４とに手を掛けて握って第１把持部１１２と第２把持部１１４との間の距離を狭めることで、連結部１２６を支点として、第１挟み部１２２の先端部と第２挟み部１２４の先端部との間の距離を狭めることができる。また、保守作業員が第１把持部１１２と第２把持部１１４とに手を掛けて第１把持部１１２と第２把持部１１４との間の距離を広げることで、連結部１２６を支点として、第１挟み部１２２の先端部と第２挟み部１２４の先端部との間の距離を広げることができる。
【００３０】
広げ部１３０は、第１広げ部１３２と第２広げ部１３４とを備える。第１広げ部１３２は、第１挟み部１２２の他方端側（先端部側）から延伸し、図４に示されるように、移動手摺案内レール２２に取り付けられているときの第１クリップガイド２３２の端部２３２ａに当接しながら第１クリップガイド２３２の端部２３２ａと移動手摺案内レール２２との間に挿入可能なように先細りした形状を有している。
【００３１】
第２広げ部１３４は、第２挟み部１２４の他方端側（先端部側）から延伸し、図４に示されるように、移動手摺案内レール２２に取り付けられているときの第２クリップガイド２３４の端部２３４ａに当接しながら第２クリップガイド２３４の端部２３４ａと移動手摺案内レール２２との間に挿入可能なように先細りした形状を有している。
【００３２】
続いて、上記脱着治具１００の作用について説明する。まず、移動手摺案内レール２２から古いクリップガイド２３を取り外す様子について説明する。図４は、古いクリップガイド２３を移動手摺案内レール２２から取り外す様子を示す図である。最初に、移動手摺２０が取り外されて、第１クリップガイド２３２と第２クリップガイド２３４とを備えるクリップガイド２３と移動手摺案内レール２２とを露出した状態とする。次に、保守作業員が脱着治具１００の把持部１１０を持って、第１挟み部１２２の先端部と第２挟み部１２４の先端部との間の距離、換言すれば、第１広げ部１３２の先端部と第２広げ部１３４の先端部との間の距離を調整して、図４に示されるように、第１広げ部１３２の先端部を第１クリップガイド２３２の端部２３２ａに当接させ、第２広げ部１３４の先端部を第２クリップガイド２３４の端部２３４ａに当接させる。
【００３３】
その後、保守作業員が第１把持部１１２と第２把持部１１４とに手を掛けて、第１把持部１１２と第２把持部１１４との間の距離を広げると、第１挟み部１２２の先端部と第２挟み部１２４の先端部との間の距離、換言すれば、第１広げ部１３２の先端部と第２広げ部１３４の先端部との間の距離を広げることができる。すなわち、第１クリップガイド２３２には、矢印Ｆ1の方向に力が加わるため、展開方向に広げられる。第２クリップガイド２３４は、矢印Ｆ2の方向に力が加わるため、展開方向に広げられる。したがって、脱着治具１００を適当に上下させながら、保守作業員が第１把持部１１２と第２把持部１１４との間の距離を広げることで、第１クリップガイド２３２と第２クリップガイド２３４とを取り外すことができる。このように、脱着治具１００を用いることで、より簡単に第１クリップガイド２３２と第２クリップガイド２３４とを取り外すことができる。
【００３４】
次に、新たなクリップガイド２３を移動手摺案内レール２２に取り付ける様子について説明する。図５は、新たなクリップガイド２３を移動手摺案内レール２２に取り付ける様子を示す図である。最初に、図５に示されるように、第１クリップガイド２３２の端部２３２ｂ及び第２クリップガイド２３４の端部２３４ｂを移動手摺案内レール２２の内側面に引っ掛ける。次に、保守作業員が把持部１１０を持って、第１挟み部１２２の先端部と第２挟み部１２４の先端部との間の距離を調整して、図５に示されるように、第１広げ部１３２の先端部を第１クリップガイド２３２の端部２３２ａに当接させ、第２広げ部１３４の先端部を第２クリップガイド２３４の端部２３４ａに当接させる。
【００３５】
その後、保守作業員が第１把持部１１２と第２把持部１１４とに手を掛けて、第１把持部１１２と第２把持部１１４との間の距離を広げる。すなわち、第１クリップガイド２３２には、矢印Ｆ3の方向に力が加わるため、展開方向に広げられる。第２クリップガイド２３４は、矢印Ｆ4の方向に力が加わるため、展開方向に広げられる。このように、第１クリップガイド２３２及び第２クリップガイド２３４を広げた状態で、第１クリップガイド２３２の端部２３２ａ及び第２クリップガイド２３４の端部２３４ａがそれぞれ移動手摺案内レール２２の側面２２４ａ，２２４ｂの高さ位置よりも低い位置となるように脱着治具１００を移動させる。
【００３６】
そして、保守作業員が第１把持部１１２と第２把持部１１４とを握って、第１把持部１１２と第２把持部１１４との間の距離を狭めると、第１挟み部１２２の先端部と第２挟み部１２４の先端部との間の距離、換言すれば、第１広げ部１３２の先端部と第２広げ部１３４の先端部との間の距離を狭めることができる。これにより、第１クリップガイド２３２と第２クリップガイド２３４の弾性力が作用して、第１クリップガイド２３２の端部２３２ａと第２クリップガイド２３４の端部２３４ａが移動手摺案内レール２２の側面２２４ａ，２２４ｂ側に移動し、第１クリップガイド２３２の端部２３２ａ及び第２クリップガイド２３４の端部２３４ａがそれぞれ端面２２４ａ，２２４ｂと接触する。したがって、第１クリップガイド２３２と第２クリップガイド２３４とを取り付けることができる。このように、脱着治具１００を用いることで、より簡単に第１クリップガイド２３２と第２クリップガイド２３４とを取り付けることができる。
【００３７】
次に、脱着治具１００の変形例である脱着治具１０１について説明する。図６は、クリップガイド２３を移動手摺案内レール２２に脱着するための脱着治具１０１を示す図である。脱着治具１０１は、把持部１１０と、挟み部１２０と、広げ部１３０と、案内部１４０とを備える。脱着治具１０１と脱着治具１００の相違点は、案内部１４０のみであるため、その相違点を中心に説明する。
【００３８】
案内部１４０は、第１案内部１４２と、第２案内部１４４とを備える。第１案内部１４２は、支持部材１４２ａと、回転軸１４２ｂと、ローラ１４２ｃとを備える。支持部材１４２ａは、略コ字断面形状を有する。回転軸１４２ｂは、支持部材１４２ａの上側内面１４２１ａと支持部材１４２ａの下側内面１４２２ａに跨って設けられる軸部材である。ローラ１４２ｃは、回転軸１４２ｂを軸として回転可能なローラであり、第１クリップガイド２３２の外形に沿った外形を有している。
【００３９】
第２案内部１４４は、支持部材１４４ａと、回転軸１４４ｂと、ローラ１４４ｃとを備える。支持部材１４４ａは、略コ字断面形状を有する。回転軸１４４ｂは、支持部材１４４ａの上側内面１４４１ａと支持部材１４４ａの下側内面１４４２ａに跨って設けられる軸部材である。ローラ１４４ｃは、回転軸１４４ｂを軸として回転可能なローラであり、第２クリップガイド２３４の外形に沿った外形を有している。
【００４０】
続いて、上記脱着治具１０１の作用について説明する。図７は、古いクリップガイド２３を移動手摺案内レール２２から取り外す様子を示す図である。図８は、新しいクリップガイド２３を移動手摺案内レール２２に取り付ける様子を示す図である。
【００４１】
上述したように、脱着治具１０１と脱着治具１００の相違点は、案内部１４０のみでその他の構成は同じであるため、脱着治具１００と同じ要領でクリップガイド２３を脱着することができる。例えば、古いクリップガイド２３を取り外す場合は、図７に示されるように、保守作業員は、第１広げ部１３２の先端部を第１クリップガイド２３２の端部２３２ａに当接させ、第２広げ部１３４の先端部を第２クリップガイド２３４の端部２３４ａに当接させ、その後で、第１把持部１１２と第２把持部１１４との間の距離を広げることでクリップガイド２３を簡単に取り外すことができる。また、例えば、新しいクリップガイド２３を取り付ける場合には、図８に示されるように、保守作業員は、第１広げ部１３２の先端部を第１クリップガイド２３２の端部２３２ａに当接させ、第２広げ部１３４の先端部を第２クリップガイド２３４の端部２３４ａに当接させ、その後で第１把持部１１２と第２把持部１１４との間の距離を広げた状態で、脱着治具１００を下側に移動させて、第１把持部１１２と第２把持部１１４との間の距離を狭めることでクリップガイド２３を簡単に取り付けることができる。
【００４２】
さらに、脱着治具１０１は、案内部１４０を備えており、案内部１４０が広げ部１３０をクリップガイド２３の長手方向、換言すれば、移動手摺２０の進行方向（矢印Ｃ方向）に沿って移動させるときのガイドとして機能する。具体的には、ローラ１４２ｃ，１４４ｃが第１クリップガイド２３２，第２クリップガイド２３４上を移動手摺２０の進行方向（矢印Ｃ方向）に沿って転動する。これにより、例えば、移動手摺案内レール２２と同様にほぼ無端状のクリップガイド２３を取り外す際に、脱着治具１０１を少しずつ移動させながら、少しずつ取り外すことができ、作業の自由度が向上する。もちろん、ほぼ無端状のクリップガイド２３を移動手摺案内レール２２に取り付ける際にも脱着治具１０１を少しずつ移動させながら、少しずつ取り付けることができ、作業の自由度が向上する。
【符号の説明】
【００４３】
４  乗客、６  乗場床、８  降場床、１０  エスカレータ、２０  移動手摺、２２  移動手摺案内レール、２２ａ，２２ｂ  端部、２３  クリップガイド、２４  ステップ、２６  ステップチェーン、２８  主駆動装置、３０  手摺駆動装置、３２  駆動ローラ、３４  加圧ローラ、７０  制御盤、１００,１０１  脱着治具、１１０  把持部、１１２  第１把持部、１１４  第２把持部、１２０  挟み部、１２２  第１挟み部、１２４  第２挟み部、１２６  連結部、１３０  広げ部、１３２  第１広げ部、１３４  第２広げ部、１４０  案内部、１４２  第１案内部、１４２ａ  支持部材、１４２ｂ  回転軸、１４２ｃ  ローラ、１４４  案内部、１４４ａ  支持部材、１４４ｂ  回転軸、１４４ｃ  ローラ、２０２  芯地部、２０４  表層部、２０６  キャンバス部、２２４ａ，２２４ｂ  側面、２３２，２３４  クリップガイド、２３２ａ，２３２ｂ，２３４ａ，２３４ｂ  端部、１４２１ａ  上側内面、１４２２ａ  下側内面、１４４１ａ  上側内面、１４４２ａ  下側内面。
【図１】
2012166938.tif 000003
【図２】
2012166938.tif 000004
【図３】
2012166938.tif 000005
【図４】
2012166938.tif 000006
【図５】
2012166938.tif 000007
【図６】
2012166938.tif 000008
【図７】
2012166938.tif 000009
【図８】
2012166938.tif 000010